【手続補正書】
【提出日】平成17年11月30日(2005.11.30)
【手続補正１】
【補正対象書類名】明細書
【補正対象項目名】特許請求の範囲
【補正方法】変更
【補正の内容】
【特許請求の範囲】
【請求項１】  多孔質マトリックスを有する金属酸化物ガラスに組み込まれた１またはそれ以上の生物学的に活性な化合物を含み、
（ａ）該生物学的に活性な化合物が殺微生物剤、海洋防汚剤および農薬からなる群から選択され、さらに、
（ｂ）該金属酸化物ガラスが、１またはそれ以上の式（Ｉ）：
（Ｒ２）ｎＭ１＋ｍ（ＯＲ１）３
の金属アルコキシドモノマーを、任意に、１又はそれ以上の式（ＩＩ）：
（Ｒ５）ｙＲ４Ｒ３Ｍ２＋ｘＯＲ１
〔式中、Ｍ１およびＭ２はシリコン、アルミニウム、ジルコニウム、チタン、錫、バナジウムおよび鉄から独立して選択され；Ｒ１は（Ｃ１−４）アルキルであり；Ｒ２、Ｒ３、Ｒ４およびＲ５はＯＲ１、（Ｃ１−１２）アルキル、置換（Ｃ１−１２）アルキル、（Ｃ２−１０）アルケニル、ハロ置換（Ｃ２−１０）アルケニル、（Ｃ３−１０）アルキニル、ハロ置換（Ｃ３−１０）アルキニル、フェニル、置換フェニル、（Ｃ７−１０）アルアルキルから独立して選択され；ｍおよびｘは独立して３または４であり；ｎ＝ｍ−３であり；さらに、ｙ＝ｘ−３であり；生物学的に活性な化合物が農薬のとき、Ｒ３またはＲ４がＯＲ１でない式（ＩＩ）の金属アルコキシドモノマーが少なくとも１つ存在する〕
の金属アルコキシドモノマーの存在下で重合することによって調製されるものである、徐放性組成物。
【請求項２】  生物学的に活性な化合物が、５−クロロ−２−メチル−３−イソチアゾロン、２−メチル−３−イソチアゾロン、２−ｎ−オクチル−３−イソチアゾロン、４，５−ジクロロ−２−ｎ−オクチル−３−イソチアゾロン、４，５−ジクロロ−２−シクロヘキシル−３−イソチアゾロン、４，５−ジクロロ−２−シクロヘキシル−３−イソチアゾロン、３−ヨード−２−プロピニルブチルカルバメート、１，２−ジブロモ−２，４−ジシアノブタン、メチレン−ビス−チオシアネート、２−チオシアノメチルチオベンゾチアゾール、２，４，５，６−テトラクロロイソフタロニトリル、５−ブロモ−５−ニトロ−１，３−ジオキサン、２，２−ジブロモ−３−ニトリロプロピオンアミド、３−ブロモ−１−クロロ−５，５−ジメチルヒダントイン、１，２−ベンズイソチアゾリン−３−オン、２−メチル−４，５−トリメチレン−３−イソチアゾロン、３，４，４’−トリクロロカルバニリド、マンガンエチレンビスジチオカルバメート、亜鉛ジメチルジチオカルバメート、２−メチル−４−ｔ−ブチルアミノ−６−シクロプロピルアミノ−ｓ−トリアジン、２，４，５，６−テトラクロロイソフタロニトリル、Ｎ，Ｎ−ジメチルジクロロフェニル尿素、亜鉛エチレンビスジチオカルバメート、銅チオシアネート、４，５−ジクロロ−２−ｎ−オクチル−３−イソチアゾロン、Ｎ−（フルオロジクロロメチルチオ）フタルイミド、Ｎ，Ｎ−ジメチル−Ｎ’−フェニル−Ｎ’−フルオロジクロロメチルチオ−スルファミド、亜鉛−２−ピリジンチオール−１−オキシド、テトラメチルチウラムジスルフィド、２，４，６−トリクロロフェニルマレイミド、２，３，５，６−テトラクロロ−４−（メチルスルホニル）ピリジン、３−ヨード−２−プロピニルブチルカルバメート、ジヨードメチル−ｐ−トリルスルホン、ビスジメチルジチオカルバモイル亜鉛エチレンビスジチオカルバメート、フェニル（ビスピリジル）ビスマスジクロリド、２−（４−チアゾリル）ベンズイミダゾール、ピリジントリフェニルボラン、フェニルアミド、ハロプロパルギル化合物および２−ハロアルコキシアリール−３−イソチアゾロン、からなる群から選択される殺微生物剤または海洋防汚剤である請求項１記載の組成物。
【請求項３】  生物学的に活性な化合物が、２−メチル−３−イソチアゾロン、５−クロロ−２−メチル−３−イソチアゾロン、２−ｎ−オクチル−３−イソチアゾロン、４，５−ジクロロ−２−ｎ−オクチル−３−イソチアゾロン、４，５−ジクロロ−２−シクロヘキシル−３−イソチアゾロン、１，２−ベンズイソチアゾリン−３−オン、２−メチル−４，５−トリメチレン−３−イソチアゾロン、３−ヨード−２−プロピニルブチルカルバメートおよび３，４，４’−トリクロロカルバニリド、からなる群から選択される殺微生物剤である請求項２記載の組成物。
【請求項４】  式ＩＩの金属アルコキシドモノマーが、テトラメトキシオルトシリケート、テトラエトキシオルトシリケート、メチルトリエトキシオルトシリケート、メチルトリメトキシオルトシリケート、フェニルトリエトキシオルトシリケート、オクチルトリエトキシオルトシリケート、フェニルトリメトキシオルトシリケート、ジメチルジエトキシオルトシリケート、ビス（トリメトキシシリル）メタン、ビス（トリエトキシシリル）エタン、ビス（トリメトキシシリル）ヘキサン、３−ブテニルトリエトキシシラン、メタクリロキシプロピルトリエトキシシラン、メタクリロキシプロピルトリメトキシシラン、トリエトキシアルミニウム、メチルジエトキシアルミニウム、トリイソプロポキシアルミニウム、テトラエトキシジルコニウム、メチルトリエトキシジルコニウム、テトラ−ｎ−ブトキシジルコニウム、テトラ−ｔ−ブトキシジルコニウム、テトラメトキシ錫、テトラエトキシ錫、テトラメトキシバナジウム、テトラエトキシバナジウム、テトラエトキシチタン、テトラメトキシチタン、テトラエトキシ鉄およびこれらの混合物、からなる群から選択される請求項１記載の組成物。
【請求項５】  生物学的に活性な化合物が、ジチオカルバメート誘導体、ニトロフェノール誘導体、ヘテロ環式構造体、ハロゲン化殺菌剤、殺菌性抗生物質、ジフェニルスルホン、ドジン、メトキシル、１−チオシアノ−２，４−ジニトロベンゼン、１−フェニルチオセミカルバジド、チオファネート−メチル、シモキサニル、アシルアラニン、フェニルベンズアミド、アミノ酸誘導体、メトキシアクリレート、プロパモカルブ、イマザリル、カルベンダジム、マイクロブタニル、フェンブコナゾール、トリデモルフ、ピラゾホス、フェナリモール、フェンピクロニル、ピリメタニル、カルボン酸誘導体、カルバミン酸誘導体、置換尿素、置換トリアジン、ジフェニルエーテル誘導体、アニリド、オキシフェノキシ除草剤、ウラシル、ニトリル、ジチオピー、チアゾピー、アセフェート、アルジカルブ、アルファ−シペルメトリン、アジンホス−メチル、ビフェントリン、ビナパクリル、ブプロフェジン、カルバリール、カルボフラン、カルタップ、クロルピリフォス、クロルピリフォスメチル、クロフェンテジン、シフルトリン、シヘキサチン、シペルメトリン、シフェノトリン、デルタメトリン、デメトン、デメトン−Ｓ−メチル、デメトン−Ｏ−メチル、デメトン−Ｓ、デメトン−Ｓ−メチルスルホキシド、デメフィオン−Ｏ、デメフィオン−Ｓ、ジアリフォー、ジアジノン、ジコフォール、ジクロトフォス、ジフルベンズロン、ジメトエート、ジノキャップ、エンドスルファン、エンドチオン、エスフェンバレレート、エチオフェンカルブ、エチオン、エトエート−メチル、エトプロップ、エトリムフォス、フェナミフォス、フェナザフロー、フェンブタチン−オキシド、フェニトロチオン、フェノキシカルブ、フェンスルホチオン、フェンチオン、フェンバレレート、フルシクロクスロン、フルフェノクスロン、フルバリネート、フォノフォス、フォスメチラン、フラチオカルブ、ヘキシチアゾックス、イサゾフォス、イソフェンフォス、イソキサチオン、メタミドフォス、メチダチオン、メチオカルブ、メトミル、メチルパラチオン、メビンフォス、メキサカルベート、モノクロトフォス、ニコチン、オメトエート、オキサミル、パラチオン、ペルメトリン、フォレート、フォサロン、フォスメット、フォスファミドン、ピリミカルブ、ピリミフォス−エチル、プロフェノフォス、プロメカルブ、プロパルガイト、ピリダベン、レスメトリン、ロテノン、テブフェノジド、テメフォス、ＴＥＰＰ、テルブフォス、チオジカルブ、トルクロフォス−メチル、トリアザメート、トリアゾフォスおよびバミドチオン、からなる群から選択される農薬である請求項１記載の組成物。
【請求項６】  不活性材料をさらに含む請求項１記載の組成物。
【請求項７】  多孔質マトリックスを有する有機金属酸化物ガラスに組み込まれた１以上の生物学的に活性な化合物を含み、該生物学的に活性な化合物が殺微生物剤、海洋防汚剤および農薬からなる群から選択されるものであり、さらに、該有機金属酸化物ガラスが、水酸基性化合物の存在下、１またはそれ以上の式（Ｉ）：
（Ｒ２）ｎＭ１＋ｍ（ＯＲ１）３
の金属アルコキシドモノマーを、任意に、１又はそれ以上の式（ＩＩ）：
（Ｒ５）ｙＲ４Ｒ３Ｍ２＋ｘＯＲ１
〔式中、Ｍ１およびＭ２はシリコン、アルミニウム、ジルコニウム、チタン、錫、バナジウムおよび鉄から独立して選択され；Ｒ１は（Ｃ１−４）アルキルであり；Ｒ２、Ｒ３、Ｒ４およびＲ５はＯＲ１、（Ｃ１−１２）アルキル、置換（Ｃ１−１２）アルキル、（Ｃ２−１０）アルケニル、ハロ置換（Ｃ２−１０）アルケニル、（Ｃ３−１０）アルキニル、ハロ置換（Ｃ３−１０）アルキニル、フェニル、置換フェニル、（Ｃ７−１０）アルアルキルから独立して選択され；ｍおよびｘは独立して３または４であり；ｎ＝ｍ−３であり；さらに、ｙ＝ｘ−３である。〕
の金属アルコキシドモノマーの存在下で重合することによって調製されるものであり、
該水酸基性化合物が（Ｃ４−２０）アルキルアルコール、（Ｃ７−１０）アルアルキルアルコール、（Ｃ２−２０）グリコール、ポリ（エチレングリコール）アルキルエーテル、ポリ（エチレングリコール）アルアルキルエーテル、およびポリ（エチレングリコール）アリールエーテルからなる群から選択される、
徐放性組成物。
【請求項８】  生物学的に活性な化合物が、５−クロロ−２−メチル−３−イソチアゾロン、２−メチル−３−イソチアゾロン、２−ｎ−オクチル−３−イソチアゾロン、４，５−ジクロロ−２−ｎ−オクチル−３−イソチアゾロン、４，５−ジクロロ−２−シクロヘキシル−３−イソチアゾロン、４，５−ジクロロ−２−シクロヘキシル−３−イソチアゾロン、３−ヨード−２−プロピニルブチルカルバメート、１，２−ジブロモ−２，４−ジシアノブタン、メチレン−ビス−チオシアネート、２−チオシアノメチルチオベンゾチアゾール、２，４，５，６−テトラクロロイソフタロニトリル、５−ブロモ−５−ニトロ−１，３−ジオキサン、２，２−ジブロモ−３−ニトリロプロピオンアミド、３−ブロモ−１−クロロ−５，５−ジメチルヒダントイン、１，２−ベンズイソチアゾリン−３−オン、２−メチル−４，５−トリメチレン−３−イソチアゾロン、３，４，４’−トリクロロカルバニリド、ジチオカルバメート誘導体、ニトロフェノール誘導体、ヘテロ環式構造体、ハロゲン化殺菌剤、殺菌性抗生物質、ジフェニルスルホン、ドジン、メトキシル、１−チオシアノ−２，４−ジニトロベンゼン、１−フェニルチオセミカルバジド、チオファネート−メチル、シモキサニル、アシルアラニン、フェニルベンズアミド、アミノ酸誘導体、メトキシアクリレート、プロパモカルブ、イマザリル、カルベンダジム、マイクロブタニル、フェンブコナゾール、トリデモルフ、ピラゾホス、フェナリモール、フェンピクロニル、ピリメタニル、カルボン酸誘導体、カルバミン酸誘導体、置換尿素、置換トリアジン、ジフェニルエーテル誘導体、アニリド、オキシフェノキシ除草剤、ウラシル、ニトリル、ジチオピー、チアゾピー、アセフェート、アルジカルブ、アルファ−シペルメトリン、アジンホス−メチル、ビフェントリン、ビナパクリル、ブプロフェジン、カルバリール、カルボフラン、カルタップ、クロルピリフォス、クロルピリフォスメチル、クロフェンテジン、シフルトリン、シヘキサチン、シペルメトリン、シフェノトリン、デルタメトリン、デメトン、デメトン−Ｓ−メチル、デメトン−Ｏ−メチル、デメトン−Ｓ、デメトン−Ｓ−メチルスルホキシド、デメフィオン−Ｏ、デメフィオン−Ｓ、ジアリフォー、ジアジノン、ジコフォール、ジクロトフォス、ジフルベンズロン、ジメトエート、ジノキャップ、エンドスルファン、エンドチオン、エスフェンバレレート、エチオフェンカルブ、エチオン、エトエート−メチル、エトプロップ、エトリムフォス、フェナミフォス、フェナザフロー、フェンブタチン−オキシド、フェニトロチオン、フェノキシカルブ、フェンスルホチオン、フェンチオン、フェンバレレート、フルシクロクスロン、フルフェノクスロン、フルバリネート、フォノフォス、フォスメチラン、フラチオカルブ、ヘキシチアゾックス、イサゾフォス、イソフェンフォス、イソキサチオン、メタミドフォス、メチダチオン、メチオカルブ、メトミル、メチルパラチオン、メビンフォス、メキサカルベート、モノクロトフォス、ニコチン、オメトエート、オキサミル、パラチオン、ペルメトリン、フォレート、フォサロン、フォスメット、フォスファミドン、ピリミカルブ、ピリミフォス−エチル、���ロフェノフォス、プロメカルブ、プロパルガイト、ピリダベン、レスメトリン、ロテノン、テブフェノジド、テメフォス、ＴＥＰＰ、テルブフォス、チオジカルブ、トルクロフォス−メチル、トリアザメート、トリアゾフォスおよびバミドチオン、からなる群から選択される請求項７記載の組成物。
【請求項９】  生物学的に活性な化合物が、２−メチル−３−イソチアゾロン、５−クロロ−２−メチル−３−イソチアゾロン、２−ｎ−オクチル−３−イソチアゾロン、４，５−ジクロロ−２−ｎ−オクチル−３−イソチアゾロン、４，５−ジクロロ−２−シクロヘキシル−３−イソチアゾロン、１，２−ベンズイソチアゾリン−３−オン、２−メチル−４，５−トリメチレン−３−イソチアゾロン、３−ヨード−２−プロピニルブチルカルバメートおよび３，４，４’−トリクロロカルバニリド、からなる群から選択される殺微生物剤である請求項７記載の組成物。
【請求項１０】  多孔質マトリックスを有する金属酸化物ガラスに生物学的に活性な化合物を組み込む工程を含み、
（ａ）該生物学的に活性な化合物が殺微生物剤、海洋防汚剤および農薬からなる群から選択され、さらに、
（ｂ）該金属酸化物ガラスが、１またはそれ以上の式（Ｉ）：
（Ｒ２）ｎＭ１＋ｍ（ＯＲ１）３
の金属アルコキシドモノマーを、任意に、１又はそれ以上の式（ＩＩ）：
（Ｒ５）ｙＲ４Ｒ３Ｍ２＋ｘＯＲ１
〔式中、Ｍ１およびＭ２はシリコン、アルミニウム、ジルコニウム、チタン、錫、バナジウムおよび鉄から独立して選択され；Ｒ１は（Ｃ１−４）アルキルであり；Ｒ２、Ｒ３、Ｒ４およびＲ５はＯＲ１、（Ｃ１−１２）アルキル、置換（Ｃ１−１２）アルキル、（Ｃ２−１０）アルケニル、ハロ置換（Ｃ２−１０）アルケニル、（Ｃ３−１０）アルキニル、ハロ置換（Ｃ３−１０）アルキニル、フェニル、置換フェニル、（Ｃ７−１０）アルアルキルから独立して選択され；ｍおよびｘは独立して３または４であり；ｎ＝ｍ−３であり；さらに、ｙ＝ｘ−３であり；生物学的に活性な化合物が農薬のとき、Ｒ３またはＲ４がＯＲ１でない式（ＩＩ）の金属アルコキシドモノマーが少なくとも１つ存在する〕
の金属アルコキシドモノマーの存在下で重合することによって調製されるものである、生物学的に活性な化合物の放出を制御する方法。
【請求項１１】  生物学的に活性な化合物が、５−クロロ−２−メチル−３−イソチアゾロン、２−メチル−３−イソチアゾロン、２−ｎ−オクチル−３−イソチアゾロン、４，５−ジクロロ−２−ｎ−オクチル−３−イソチアゾロン、４，５−ジクロロ−２−シクロヘキシル−３−イソチアゾロン、４，５−ジクロロ−２−シクロヘキシル−３−イソチアゾロン、３−ヨード−２−プロピニルブチルカルバメート、１，２−ジブロモ−２，４−ジシアノブタン、メチレン−ビス−チオシアネート、２−チオシアノメチルチオベンゾチアゾール、２，４，５，６−テトラクロロイソフタロニトリル、５−ブロモ−５−ニトロ−１，３−ジオキサン、２，２−ジブロモ−３−ニトリロプロピオンアミド、３−ブロモ−１−クロロ−５，５−ジメチルヒダントイン、１，２−ベンズイソチアゾリン−３−オン、２−メチル−４，５−トリメチレン−３−イソチアゾロン、３，４，４’−トリクロロカルバニリド、ジチオカルバメート誘導体、ニトロフェノール誘導体、ヘテロ環式構造体、ハロゲン化殺菌剤、殺菌性抗生物質、ジフェニルスルホン、ドジン、メトキシル、１−チオシアノ−２，４−ジニトロベンゼン、１−フェニルチオセミカルバジド、チオファネート−メチル、シモキサニル、アシルアラニン、フェニルベンズアミド、アミノ酸誘導体、メトキシアクリレート、プロパモカルブ、イマザリル、カルベンダジム、マイクロブタニル、フェンブコナゾール、トリデモルフ、ピラゾホス、フェナリモール、フェンピクロニル、ピリメタニル、カルボン酸誘導体、カルバミン酸誘導体、置換尿素、置換トリアジン、ジフェニルエーテル誘導体、アニリド、オキシフェノキシ除草剤、ウラシル、ニトリル、ジチオピー、チアゾピー、アセフェート、アルジカルブ、アルファ−シペルメトリン、アジンホス−メチル、ビフェントリン、ビナパクリル、ブプロフェジン、カルバリール、カルボフラン、カルタップ、クロルピリフォス、クロルピリフォスメチル、クロフェンテジン、シフルトリン、シヘキサチン、シペルメトリン、シフェノトリン、デルタメトリン、デメトン、デメトン−Ｓ−メチル、デメトン−Ｏ−メチル、デメトン−Ｓ、デメトン−Ｓ−メチルスルホキシド、デメフィオン−Ｏ、デメフィオン−Ｓ、ジアリフォー、ジアジノン、ジコフォール、ジクロトフォス、ジフルベンズロン、ジメトエート、ジノキャップ、エンドスルファン、エンドチオン、エスフェンバレレート、エチオフェンカルブ、エチオン、エトエート−メチル、エトプロップ、エトリムフォス、フェナミフォス、フェナザフロー、フェンブタチン−オキシド、フェニトロチオン、フェノキシカルブ、フェンスルホチオン、フェンチオン、フェンバレレート、フルシクロクスロン、フルフェノクスロン、フルバリネート、フォノフォス、フォスメチラン、フラチオカルブ、ヘキシチアゾックス、イサゾフォス、イソフェンフォス、イソキサチオン、メタミドフォス、メチダチオン、メチオカルブ、メトミル、メチルパラチオン、メビンフォス、メキサカルベート、モノクロトフォス、ニコチン、オメトエート、オキサミル、パラチオン、ペルメトリン、フォレート、フォサロン、フォスメット、フォスファミドン、ピリミカルブ、ピリミフォス−エチル���プロフェノフォス、プロメカルブ、プロパルガイト、ピリダベン、レスメトリン、ロテノン、テブフェノジド、テメフォス、ＴＥＰＰ、テルブフォス、チオジカルブ、トルクロフォス−メチル、トリアザメート、トリアゾフォスおよびバミドチオン、からなる群から選択される請求項１０記載の方法。
【請求項１２】  多孔質マトリックスを有する有機金属酸化物ガラスに生物学的に活性な化合物を組み込む工程を含み、該生物学的に活性な化合物が殺微生物剤、海洋防汚剤および農薬からなる群から選択され、さらに、該有機金属酸化物ガラスが、水酸基性化合物の存在下、１またはそれ以上の式（Ｉ）：
（Ｒ２）ｎＭ１＋ｍ（ＯＲ１）３
の金属アルコキシドモノマーを、任意に、１又はそれ以上の式（ＩＩ）：
（Ｒ５）ｙＲ４Ｒ３Ｍ２＋ｘＯＲ１
〔式中、Ｍ１およびＭ２はシリコン、アルミニウム、ジルコニウム、チタン、錫、バナジウムおよび鉄から独立して選択され；Ｒ１は（Ｃ１−４）アルキルであり；Ｒ２、Ｒ３、Ｒ４およびＲ５はＯＲ１、（Ｃ１−１２）アルキル、置換（Ｃ１−１２）アルキル、（Ｃ２−１０）アルケニル、ハロ置換（Ｃ２−１０）アルケニル、（Ｃ３−１０）アルキニル、ハロ置換（Ｃ３−１０）アルキニル、フェニル、置換フェニル、（Ｃ７−１０）アルアルキルから独立して選択され；ｍおよびｘは独立して３または４であり；ｎ＝ｍ−３であり；さらに、ｙ＝ｘ−３である。〕
の金属アルコキシドモノマーの存在下で重合することによって調製されるものであり、
該水酸基性化合物が（Ｃ４−２０）アルキルアルコール、（Ｃ７−１０）アルアルキルアルコール、（Ｃ２−２０）グリコール、ポリ（エチレングリコール）アルキルエーテル、ポリ（エチレングリコール）アルアルキルエーテル、およびポリ（エチレングリコール）アリールエーテルからなる群から選択される、
生物学的に活性な化合物の放出を制御する方法。
【請求項１３】  生物学的に活性な化合物が、５−クロロ−２−メチル−３−イソチアゾロン、２−メチル−３−イソチアゾロン、２−ｎ−オクチル−３−イソチアゾロン、４，５−ジクロロ−２−ｎ−オクチル−３−イソチアゾロン、４，５−ジクロロ−２−シクロヘキシル−３−イソチアゾロン、４，５−ジクロロ−２−シクロヘキシル−３−イソチアゾロン、３−ヨード−２−プロピニルブチルカルバメート、１，２−ジブロモ−２，４−ジシアノブタン、メチレン−ビス−チオシアネート、２−チオシアノメチルチオベンゾチアゾール、２，４，５，６−テトラクロロイソフタロニトリル、５−ブロモ−５−ニトロ−１，３−ジオキサン、２，２−ジブロモ−３−ニトリロプロピオンアミド、３−ブロモ−１−クロロ−５，５−ジメチルヒダントイン、１，２−ベンズイソチアゾリン−３−オン、２−メチル−４，５−トリメチレン−３−イソチアゾロン、３，４，４’−トリクロロカルバニリド、ジチオカルバメート誘導体、ニトロフェノール誘導体、ヘテロ環式構造体、ハロゲン化殺菌剤、殺菌性抗生物質、ジフェニルスルホン、ドジン、メトキシル、１−チオシアノ−２，４−ジニトロベンゼン、１−フェニルチオセミカルバジド、チオファネート−メチル、シモキサニル、アシルアラニン、フェニルベンズアミド、アミノ酸誘導体、メトキシアクリレート、プロパモカルブ、イマザリル、カルベンダジム、マイクロブタニル、フェンブコナゾール、トリデモルフ、ピラゾホス、フェナリモール、フェンピクロニル、ピリメタニル、カルボン酸誘導体、カルバミン酸誘導体、置換尿素、置換トリアジン、ジフェニルエーテル誘導体、アニリド、オキシフェノキシ除草剤、ウラシル、ニトリル、ジチオピー、チアゾピー、アセフェート、アルジカルブ、アルファ−シペルメトリン、アジンホス−メチル、ビフェントリン、ビナパクリル、ブプロフェジン、カルバリール、カルボフラン、カルタップ、クロルピリフォス、クロルピリフォスメチル、クロフェンテジン、シフルトリン、シヘキサチン、シペルメトリン、シフェノトリン、デルタメトリン、デメトン、デメトン−Ｓ−メチル、デメトン−Ｏ−メチル、デメトン−Ｓ、デメトン−Ｓ−メチルスルホキシド、デメフィオン−Ｏ、デメフィオン−Ｓ、ジアリフォー、ジアジノン、ジコフォール、ジクロトフォス、ジフルベンズロン、ジメトエート、ジノキャップ、エンドスルファン、エンドチオン、エスフェンバレレート、エチオフェンカルブ、エチオン、エトエート−メチル、エトプロップ、エトリムフォス、フェナミフォス、フェナザフロー、フェンブタチン−オキシド、フェニトロチオン、フェノキシカルブ、フェンスルホチオン、フェンチオン、フェンバレレート、フルシクロクスロン、フルフェノクスロン、フルバリネート、フォノフォス、フォスメチラン、フラチオカルブ、ヘキシチアゾックス、イサゾフォス、イソフェンフォス、イソキサチオン、メタミドフォス、メチダチオン、メチオカルブ、メトミル、メチルパラチオン、メビンフォス、メキサカルベート、モノクロトフォス、ニコチン、オメトエート、オキサミル、パラチオン、ペルメトリン、フォレート、フォサロン、フォスメット、フォスファミドン、ピリミカルブ、ピリミフォス−エチル���プロフェノフォス、プロメカルブ、プロパルガイト、ピリダベン、レスメトリン、ロテノン、テブフェノジド、テメフォス、ＴＥＰＰ、テルブフォス、チオジカルブ、トルクロフォス−メチル、トリアザメート、トリアゾフォスおよびバミドチオン、からなる群から選択される請求項１２記載の方法。
【請求項１４】  有効量の請求項１記載の組成物を、保護すべき対象の中または上に導入することを含む、対象における有害生物の成長を制御または抑制する方法。
【請求項１５】  有効量の請求項７記載の組成物を、保護すべき対象の中または上に導入することを含む、対象における有害生物の成長を制御または抑制する方法。